(57)【特許請求の範囲】
【請求項１】
光ファイバ（６）の両側にそれぞれ該光ファイバより大径のテンションメンバ（７）を有した光ファイバケーブル（４）を固定するための固定具であって、
前記光ファイバケーブルの短辺方向での両側を挟んでこれを固定する凹部（５３）を有してなり、この凹部の幅が前記光ファイバケーブルの短辺の長さより小でかつ前記テンションメンバの外径より大であるとともに、前記凹部が、固定する光ファイバケーブルの長さ方向に対をなして設けられ、これら対をなす凹部は、それぞれの中心位置が前記の長さ方向においてずれて配設されており、前記凹部の内縁が前記テンションメンバに当接することで中心側へは行かず、前記凹部の内縁による光ファイバの損傷を防止し、取付部材（５１）と、該取付部材に設けられた固定部材（５２）とを備え、前記取付部材は下プレート（５１ａ）、上プレート（５１ｂ）、および、これらと直交し、かつこれらを連結する立プレート（５１ｃ）からなり、前記下プレートの先端側および前記上プレートの先端側のそれぞれに前記固定部材が設けられ、前記固定部材は互いに対向し対をなす前プレート（５２ｂ）および後プレート（５２ｃ）からなり、前記前プレートおよび前記後プレートのそれぞれには、前記凹部が形成されたことを特徴とする光ファイバケーブル固定具。
【請求項２】
前記上プレートの先端側は、前記下プレートの先端側よりも前記立プレート側に位置することを特徴とする請求項１記載の光ファイバケーブル固定具。
【請求項３】
内部に光ファイバケーブル（１３、１３Ａ）が導入される空間を有するスリーブ（１１）と、前記スリーブの軸方向の両端を閉塞する端面板（１２）とを備えるクロージャ（１０）において、
前記スリーブ内に、請求項１または２に記載の光ファイバケーブル固定具が設けられていることを特徴とするクロージャ。
【発明の詳細な説明】
【０００１】
【発明の属する技術分野】
この発明は、光ファイバケーブルを固定するための固定具と、この光ファイバケーブル固定具を備えたクロージャに関する。
【０００２】
【従来の技術】
近年、インターネット等の急速な発達に伴い、各種の光アクセスケーブルが普及している。例えば、図１２に示すように電話網を含む通信ケーブルとして、電柱１、１間に架空ケーブル２が張りわたされており、この架空ケーブル２には、該架空ケーブル２中の光ケーブル部分（図示せず）を収納するクロージャ３が設けられている。このクロージャ３内では、前記光ケーブルに対してドロップケーブル４が接続されており、このドロップケーブル４は、それぞれ個別ユーザー５に繋ぎ込まれるようになっている。
【０００３】
ドロップケーブル４は、図１３に示すようにその横断面形状が略長円形状のもので、その略中心位置に光ファイバ心線等の光ファイバ６を有し、また、このドロップケーブル４に対しその横断面における長辺方向において、該光ファイバ６の両側に、それぞれ該光ファイバ６より大径で金属製のテンションメンバ７を有したものである。なお、図１３中の符号８は、光ファイバ６およびテンションメンバ７を覆う樹脂製の外被である。この外被８には、その短辺方向両面のそれぞれの中心部に、光ファイバ６の長さ方向に沿ってＶ溝９が形成されている。このような構成のもとに、これらＶ溝９に沿って外被８を引き裂くことにより、光ファイバ６を容易に露出させることができるようになっている。
【０００４】
このようなドロップケーブル４をクロージャ３内にて光ケーブルに接続するには、前記したように外被８を引き裂いて光ファイバ６を露出させ、融着装置を用いて光ケーブル側の光ファイバに融着させることで行う。また、このとき、接合後の光ファイバ間の融着部にストレスがかからないよう、ドロップケーブル４をクロージャ３内に固定する。この固定方法としては、通常、露出させた光ファイバ６の両側に位置するテンションメンバ７を露出させ、これらをクロージャ３内に予め設けた固定部にネジ等を用いて固定するといった方法が採られる。
【０００５】
【発明が解決しようとする課題】
しかしながら、前記したようなネジを用いるドロップケーブル４の固定方法では、テンションメンバ７を外被８から引き出して露出させる必要があるなどのため作業性が悪く、特に多数のドロップケーブル４を接続する場合には作業に長時間を要してしまうといった、改善すべき課題があった。
また、金属製のテンションメンバ７が露出された状態で固定されるため、この露出した部分が通電されるものに不測に接触するおそれがあり、このように接触した場合には、該テンションメンバ７にも電気が流れてしまうことにより、光ファイバ６による通信の信頼性を損なう結果となる。
【０００６】
また、近年では、ドロップケーブル４に対してもその引き回しが自由に行えるよう、良好な可撓性を有したものが要求されており、このような要求に応えるものとして、金属製のテンションメンバ７に代えて、ＦＲＰ（ガラス繊維強化プラスチック）等の樹脂からなるテンションメンバを用いたものが提供されている。ところが、このような樹脂製のテンションメンバを用いたものでは、前述したクロージャ３内での接続の際、これを固定するべくテンションメンバを露出させようとしても、テンションメンバと外被８との接着性が良いことなどからそれが難しく、したがってドロップケーブル４を容易に固定し得る新たな方法の提供が望まれていた。
【０００７】
本発明は前記事情に鑑みてなされたもので、その目的とするところは、光ファイバ間の接続などの際の光ファイバケーブルの固定を容易にし、さらにも樹脂製のテンションメンバを用いた光ファイバケーブルにも対応可能な光ファイバケーブル固定具と、この固定具を備えたクロージャを提供することにある。
【０００８】
【課題を解決するための手段】
本発明の光ファイバケーブル固定具では、光ファイバの両側にそれぞれ該光ファイバより大径のテンションメンバを有した光ファイバケーブルを固定するための固定具であって、前記光ファイバケーブルの短辺方向での両側を挟んでこれを固定する凹部を有してなり、この凹部の幅が前記光ファイバケーブルの短辺の長さより小でかつ前記テンションメンバの外径より大であるとともに、前記凹部が、固定する光ファイバケーブルの長さ方向に対をなして設けられ、これら対をなす凹部は、それぞれの中心位置が前記の長さ方向においてずれて配設されており、前記凹部の内縁が前記テンションメンバに当接することで中心側へは行かず、前記凹部の内縁による光ファイバの損傷を防止し、取付部材と、該取付部材に設けられた固定部材とを備え、前記取付部材は下プレート、上プレート、および、これらと直交し、かつこれらを連結する立プレートからなり、前記下プレートの先端側および前記上プレートの先端側のそれぞれに前記固定部材が設けられ、前記固定部材は互いに対向し対をなす前プレートおよび後プレートからなり、前記前プレートおよび前記後プレートのそれぞれには、前記凹部が形成されたことを前記課題の解決手段とした。
【０００９】
この光ファイバケーブル固定具によれば、光ファイバケーブルを挟んでこれを固定する凹部を有してなるので、光ファイバケーブルを単にこの凹部内に挟み込んで納めることにより、該光ファイバケーブルを凹部内に容易に固定することができる。また、凹部の幅が光ファイバの外径より大であるので、凹部内に光ファイバケーブルを挟み込んだ際、凹部の内縁が光ファイバに直接触れにくく、したがって凹部の内縁によって光ファイバが損傷されることが防止される。
【００１１】
この光ファイバケーブル固定具によれば、凹部を有してなるので、光ファイバケーブルを、その短辺方向の両側を挟み込んで凹部内に納めることにより、該光ファイバケーブルを凹部内に容易に固定することができる。また、テンションメンバが光ファイバより大径であるので、凹部内に光ファイバケーブルを挟み込んだ際、凹部の内縁がテンションメンバに当接することでそれより中心側へは行かず、したがって凹部の内縁によって光ファイバが損傷されることが防止される。
【００１２】
また、前記上プレートの先端側は、前記下プレートの先端側よりも前記立プレート側に位置することが好ましい。
このようにすれば、一本の光ファイバケーブルを、対をなす凹部のそれぞれに納めて固定することにより、この光ファイバケーブルに対しその長さ方向に引っ張り力が働いた場合に、凹部のそれぞれの中心位置がずれていることから、光ファイバケーブルは対の凹部を共にすり抜けるのが難しくなる。したがって、光ファイバケーブルの長さ方向に対する引っ張り力に対し、これに抗する力が大となる。
【００１３】
本発明のクロージャでは、内部に光ファイバケーブルが導入される空間を有するスリーブと、前記スリーブの軸方向の両端を閉塞する端面板とを備えるクロージャにおいて、前記スリーブ内に、前記の光ファイバケーブル固定具が設けられていることを前記課題の解決手段とした。
【００１４】
このクロージャによれば、前記の光ファイバケーブル固定具が設けられていることにより、光ファイバケーブルをスリーブ内に容易に固定することができ、また、固定した際、凹部の内縁による光ファイバの損傷も防止される。
【００１５】
【発明の実施の形態】
以下、本発明を詳しく説明する。
図１〜図３は本発明の光ファイバケーブル固定具の一実施形態例を示す図であり、これらの図において符号５０は光ファイバケーブル固定具である。この光ファイバケーブル固定具（以下、固定具と略称する）５０は、光ファイバケーブルとして図１３に示した横断面形状が略長円形状のドロップケーブル４を挟持して固定するもので、図１（ａ）〜（ｃ）に示すように取付部材５１と、この取付部材５１に設けられた固定部材５２とを備えて構成されたものである。
【００１６】
取付部材５１は、図１（ｃ）に示したように側面視略コ字状のもので、下プレート５１ａおよび上プレート５１ｂと、これらを連結する立プレート５１ｃとが一体に形成された金属製のものである。立プレート５１ｃは、後述するよう壁やクロージャの端面板等にネジ止めなどによって取り付けられるもので、その幅方向における中央部に、立プレート５１ｃの裏面側から下プレート５１ａ上にドロップケーブル４（光ファイバケーブル）を引き入れるための、開口部（図示せず）が形成されている。
【００１７】
下プレート５１ａは、立プレート５１ｃの下端からこれに直交した状態で延びたもので、図１（ａ）に示したように平面形状が略矩形状のものであり、その先端側に前記の固定部材５２を設けたものである。上プレート５１ｂは、立プレート５１ｃの上端からこれに直交した状態で延びたもので、平面形状が下プレート５１ａより小さい略矩形状のものであり、下プレート５１ａと同様にその先端側に前記の固定部材５２を設けたものである。ここで、上プレート５１ｂは、下プレート５１ａより十分に小さく形成されていることにより、その先端側は下プレート５１ａの先端側より十分に内側、すなわち立プレート５１ｃ側に位置するようになっている。
【００１８】
固定部材５２は、下プレート５１ａ上および上プレート５１ｂ上に、それぞれ溶接や接着、ねじ止め等によって取り付けられた金属製のもので、図１（ｃ）に示したように側面視コ字状の形成されたものである。この固定部材５２は、下プレート５１ａあるいは上プレート５１ｂに取り付けられる取付プレート５２ａと、この取付プレート５２ａの一方（立プレート５１ｃと反対の側）の側縁からこれに直交して延びる前プレート５２ｂ、および他方（立プレート５１ｃ側）の側縁からこれに直交して延びる後プレート５２ｃとからなるものである。
【００１９】
ここで、上プレート５１ｂの先端側は下プレート５１ａの先端側より十分内側に位置していることから、下プレート５１ａの先端側に設けられた固定部材５２と、上プレート５１ｂの先端側に設けられた固定部材５２とは、図１（ａ）に示したように平面視した状態で重ならないようになっている。したがって、下プレート５１ａの固定部材５２に対してドロップケーブル４の固定処理を行う際、上プレート５１ｂに邪魔されることなく容易に行えるようになっている。
【００２０】
前プレート５２ｂおよび後プレート５２ｃは、図１（ｂ）に示したようにそれぞれくし歯状に形成されたもので、その上側（取付プレート５２ａと反対の側）に、上下方向に細長く延びる凹部５３を多数形成したものである。これら凹部５３は、図２に示すように横断面形状が略長円形状に形成されたドロップケーブル４の短辺方向での両側を、挟んでこれを固定するもので、その幅Ｗがドロップケーブル４の短辺の長さＬより小、すなわち短く、かつドロップケーブル４のテンションメンバ７の外径より大、すなわち長くなっている。なお、凹部５３の幅Ｗをテンションメンバ７の外径より大としてが、凹部５３は、その開口部５３ａ側から取付プレート５２ａ側までの全域に亘ってテンションメンバ７の外径より大である必要はなく、少なくとも開口部５３ａ側からドロップケーブル４を実質的に挟持固定できるだけの距離、例えばテンションメンバ７、７間の距離（その中心間の距離）だけ、テンションメンバ７の外径より大であればよく、それより取付プレート５２ａ側の部分については、テンションメンバ７の外径より小であってもよい。
【００２１】
また、このような前プレート５２ｂおよび後プレート５２ｃは、十分な剛性を有し、かつ厚さが十分に薄い金属板、例えばステンレス板などによって形成されており、これによって凹部５３にドロップケーブル４を納めてこれに挟持させ、固定する際、撓んだり折れ曲がったりしないようになっている。また、これら凹部５３の開口部５３ａは、端縁側に行くに連れてその開口が拡がるように形成されており、この拡がる部分が緩やかに湾曲した湾曲部５３ｂとなっている。これにより、この開口部５３にドロップケーブル４を差し入れた際、これを引っ掛けることなく円滑に案内し、その差し入れを容易にするようになっている。また、前記したように前プレート５２ｂおよび後プレート５２ｃは、その厚さが十分に薄く形成されていることから、凹部５３にドロップケーブル４を差し入れると、凹部５３の開口部５３ａ（湾曲部５３ｂ、５３ｂ）がドロップケーブル４の外被８に食い込んでこれを切断し、外被８に覆われたテンションメンバ７、７および光ファイバ６を凹部５３内に案内するようになっている。なお、開口部５３ａによる外被８の切断をより容易にするため、開口部５３ａの湾曲部５３ｂ、５３ｂを、他の部分よりさらに薄厚に形成しておいてもよい。
【００２２】
また、固定部材５２においては、その前プレート５２ｂと後プレート５２ｃとが対をなしており、したがって互いに対向する凹部５３、５３どうし、すなわち、図３に示すように前プレート５２ｂの凹部５３とこれに対向する位置にある後プレート５２ｃの凹部５３とは、対をなして設けられたものとなっている。これら対をなす凹部５３、５３は、それぞれの中心位置が図４に示すようにずれて配設されており、これによってこれら凹部５３、５３の両方に一本のドロップケーブル４を差し入れて挟持させた場合に、ドロップケーブル４はまっすぐに延びることなく、凹部５３、５３間のずれ量だけくねって配置固定されたものとなる。
【００２３】
ここで、対の凹部５３、５３を構成する前プレート５２ｂおよび後プレート５２ｃについて、その間隔、および対をなす凹部５３、５３間のずれ量は、これら凹部５３、５３間の間隔およびずれ量によってドロップケーブル４（光ファイバケーブル）中の光ファイバ６に与えられる曲がり量（くねり量）が、該光ファイバ６の光特性に悪影響を与えない許容範囲の曲げ半径が確保されるようにして設定されている。
【００２４】
このような構成の固定具５０を用いてドロップケーブル４を固定し、その光ファイバを他の光ケーブル（図示せず）に接続するには、まず、図５、図６に示すように固定具５０の取付部材５１を、予め所望の支持部６０にネジ６１によって取り付けておく。次に、支持部６０側から引き込んだ多数のドロップケーブル４…を、取付部材５１の上プレート５１ｂ側ではこの上プレート５１ｂ上に、また下プレート５１ａ側では、立プレート５１ｃに形成した開口部（図示せず）を通して上プレート５１ｂと下プレート５１ａとの間に、引き入れておく。
【００２５】
次いで、引き入れたドロップケーブル４に対し、図７に示すようにその端部の外被８をＶ溝９に沿って引き裂き、外被８を剥いで光ファイバ６を露出させる。続いて、ドロップケーブル４の引き入れ量を調節した後、このドロップケーブル４の適宜な箇所を、その短辺方向での両側を挟ませるようにして長辺方向の一方の側から固定部材５２の凹部５３に差し入れる。
すると、ドロップケーブル４は凹部５３の開口部５３ａに容易に案内され、かつ該開口部５３（湾曲部５３ｂ、５３ｂ）によってその外被８が切り込まれて切断され、これにより図２に示したように外被８に覆われたテンションメンバ７、７および光ファイバ６が凹部５３内に納められる。このとき、テンションメンバ７が光ファイバ６より大径であるので、凹部５３の内縁がテンションメンバ７、７に当接することでそれより中心側へは行かず、したがって凹部５３の内縁によって光ファイバ６が損傷されることがない。また、このようにしてドロップケーブル４を凹部５３に差し入れることにより、固定具５０は凹部５３によってドロップケーブル４を確実に保持し、これを固定するようになる。
【００２６】
また、このような凹部５３への固定は、一本のドロップケーブル４について、図５、図６に示すように前後に配置されて対をなす凹部５３、５３の両方になされる。すると、前述したように対をなす凹部５３、５３はそれぞれの中心位置がずれて配設されていることから、図４に示したようにドロップケーブル４が凹部５３、５３間でくねって配置固定され、したがってドロップケーブル４はこれら凹部５３、５３を共にすり抜けるのが難しくなる。
【００２７】
このようにして一本のドロップケーブル４を一対の凹部５３、５３に挟持させてここに固定したら、他のドロップケーブル４についても同様にして固定し、図５、図６に示したように多数のドロップケーブル４を固定具５０に固定する。また、このような固定とは別に、露出した光ファイバ６の端面を、従来公知の融着装置によって接続する光ケーブル（図示せず）の端面に融着・接続する。
【００２８】
このような固定具５０にあっては、多数の対からなる凹部５３を有しているので、これら凹部５３内にドロップケーブル４を差し入れてこれに挟持させることにより容易に固定することができる。
また、テンションメンバ７が光ファイバ６より大径であるので、凹部５３内にドロップケーブル４を挟み込んだ際、凹部５３の内縁がテンションメンバ７に当接することでそれより中心側へは行かず、したがって凹部５３の内縁によって光ファイバ６が損傷されるのを防止することができる。
【００２９】
また、従来のごとくテンションメンバ７を露出させる必要がないので、このテンションメンバ７が金属製でなく樹脂製であっても何等支障なく固定を行うことができる。また、金属製である場合にも、これを露出させないため、このテンションメンバ７が通電されるものに接触するおそれがなく、したがって光ファイバ６による通信の信頼性を確保することができる。
【００３０】
また、対をなす凹部５３、５３を、その中心位置をずらして配置しているので、ドロップケーブル４はこれら凹部５３、５３間でくねって配置固定され、これによりドロップケーブル４はこれら凹部５３、５３を共にすり抜けるのが難しくなり、したがってドロップケーブル４の長さ方向に対する引っ張り力に対し、これに抗する力が大となる。また、このような引っ張り力に抗する力は、凹部５３の内縁がドロップケーブル４の外被８を切り裂いてこれに食い込んでいることにより、さらに大きくなっている。
【００３１】
なお、本発明の光ファイバケーブル固定具は、前記実施形態例に限定されることなく、本発明の要旨を逸脱しない限り種々の変更が可能である。例えば、凹部５３については対をなさせることなく、それぞれ独立した一枚のプレートによって光ファイバケーブル（ドロップケーブル４）を固定するようにしてもよく、また、対をなさせるのでなく、三枚以上のプレートを組にして、一本の光ファイバケーブル（ドロップケーブル４）を固定するようにしてもよい。
また、凹部５３の形状についても、各プレート（５２ｂ、５２ｃ）において全ての凹部５３が同一形状である必要はなく、固定予定の光ファイバケーブルの断面形状に対応して、一枚のプレート（５２ｂ、５２ｃ）に複数種類の形状の凹部５３を形成配置しておいてもよい。
また、取付部材５１に関しても、下プレート５１ａと上プレート５１ｂの二段にしたが、一段にしてもよく、三段以上にしてもよい。
また、このような取付部材５１を備えることなく、単に固定部材５２のみで本発明の固定具を構成してもよく、さらに、凹部５３を一つのみ形成したチップとして、本発明の固定具を構成してもよい。
【００３２】
また、前記実施形態例では、固定対象となる光ファイバケーブルとして、ドロップケーブル４を適用したが、図１３に示した構成を有するものであれば全ての光ファイバケーブル、例えばインドアケーブルやターミネーションケーブルなどに対し、その固定に適用することができる。
また、その使用形態としても、クロージャ内に収納して用いることなく、建物の壁や柱などに直接設ける形態で設置し、これにインドアケーブルなどを固定するようにしてもよい。
【００３３】
さらに、本発明の光ファイバケーブル固定具は、固定対象となる光ファイバケーブルとして、図１３に示した構成を有することなく、単に光ファイバを有しただけの光ファイバケーブルの固定にも適用することができる。その場合、この光ファイバケーブルを挟んでこれを固定する凹部としては、この凹部の幅が前記光ファイバケーブルの外径より小でかつ前記光ファイバケーブルの光ファイバの外径より大であればよい。
【００３４】
このような光ファイバケーブル固定具にあっても、光ファイバケーブルを挟んでこれを固定する凹部を有してなるので、光ファイバケーブルを単にこの凹部内に挟み込んで納めることにより、該光ファイバケーブルを凹部内に容易に固定することができる。また、凹部の幅が光ファイバの外径より大であるので、凹部内に光ファイバケーブルを挟み込んだ際、凹部の内縁が光ファイバに直接触れにくく、したがって凹部の内縁によって光ファイバが損傷されるのを防止することができる。
【００３５】
次に、本発明のクロージャについて、図８〜図１１を参照して説明する。図８〜図１１において符号１０はクロージャであり、このクロージャ１０は、特に図１に示した光ファイバケーブル固定具を備えたことを特徴としている。
このクロージャ１０は、図８、図９に示すように筒状をなす耐候性ポリエチレンなどの樹脂製のスリーブ１１と、スリーブ１１の軸方向の両端を閉塞する同樹脂製の端面板１２とを備えて構成されたものである。
スリーブ１１は、その内部に光ファイバケーブル１３、ドロップケーブル１３Ａを導入するための空間を有したもので、この空間内にトレイ積層体１４を配置したものである。
【００３６】
このトレイ積層体１４は、スリーブ１１の軸方向に沿う箱形状のトレイ１４ａが上下方向に複数枚重ねられたもので、各トレイ１４ａ内で光ファイバケーブル１３やドロップケーブル１３Ａから引き出された光ファイバ１３ｃ余長処理部（図示せず）が収納されたり、また分岐される他の光ファイバケーブルの光ファイバ１３ｃの融着した光接続部（図示せず）などが収納されるようになっている。
【００３７】
また、トレイ積層体１４の底部にはその長手方向に沿って、つまり、スリーブ１１の軸方向に沿って連結棒１５が延在しており、その連結棒１５を介して端面板１２が固定されている。端面板１２は、スリーブ１１の軸方向の両端を閉塞する部材であり、この端面板１２には、図１０および図１１（ａ）、（ｂ）に示すように、光ファイバケーブル１３、ドロップケーブル１３Ａをスリーブ１１内に導入するための導入部１６が設けられている。
【００３８】
導入部１６は、端面板１２においてその中央よりやや下部に略円形状に形成された第１導入口１７と、中央よりやや上部に貫通して形成された複数の第２導入口１８とを有し、第１導入口１７に光ファイバケーブル１３を通すと共に、第２導入口１８にドロップケーブル１３Ａを通すことにより、スリーブ１１内にそれぞれの光ファイバケーブル１３、ドロップケーブル１３Ａが導入されるようになっている。
【００３９】
第１導入口１７には、その下部が端面板１２の下部まで切欠かれることによって形成された出入部１７ａが設けられ、光ファイバケーブル１３を通したとき、出入部１７ａに止め具１９が挿入されることによって係止される。その際、第１導入口１７に光ファイバケーブル１３がＣ宇状のパッキン２０を介して挿通されることにより、光ファイバケーブル１３と止め具１９、端面板１２との間が気密及び水密に封止される。
【００４０】
また、端面板１２の内側には、図９に示すように、第１導入口１７から導入された光ファイバケーブル１３を固定するためのケーブル挟持部２１が設けられ、、また、連結棒１５の端面板１２寄りの位置にはケーブル固定部２２が設けられている。これにより、導入された光ファイバケーブル１３はケーブル挟持部２１で両側から挟み込まれて固定され、光ファイバケーブル１３のテンションメンバ１３ａはケーブル固定部２２で把持等により固定されるようになっている。
【００４１】
また、端面板１２の内側の上部には、光ファイバケーブル固定具２３が設けられている。この光ファイバケーブル固定具２３は、図１（ａ）〜（ｃ）に示した光ファイバケーブル固定具５０と同一構成のもので、第２導入口１８より導入されたドロップケーブル１３Ａ、すなわち図１３に示したドロップケーブル４と同一構成のドロップケーブル１３Ａを、それぞれ対をなす凹部５３、５３で挟持しこれを固定したものである。
また、端面板１２の外周には、スリーブ１１との間で気密及び水密を保つためのパッキン２９が装着されている（図８、図９参照）。
なお、光ファイバケーブル１３は、中心に配置されたテンションメンバ１３ａと、その外側に配置されるスロットロッド１３ｂと、スロットロッド１３ｂのスロット溝に収納された光ファイバ心線等の光ファイバ１３ｃと、スロットロッド１３ｂの外側を覆う樹脂等の外被１３ｄとを有する構成となっている。
【００４２】
端面板１２の外側上部には、図９、図１０に示すようにバー２４を介して吊り金具２５がそれぞれ取り付けられている。吊り金具２５は、ボルト２６、押さえ板２７を有したもので、押さえ板２７と共に支持線２８を挟み付け、その状態でボルト２６が締め付けられたことにより、支持線２８に取り付けられたものである。そして、このような構成のもとに、端面板１２とこれに連結棒１５によって連結されたトレイ積層体１４とからなる光接続ユニット（図示せず）は、吊り金具２５を介して支持線２８に吊り下げられたものとなっている。
【００４３】
また、この例においてスリーブ１１は、合成樹脂により、端面板１２、トレイ積層体１４等からなる光接続ユニットを収納し得る大きさの空間を有して一体に成形されている。すなわち、スリーブ１１は、図１１（ａ）に示すように開閉可能に開口された開口部１１０を有する筒状に形成されたもので、その開口部１１０を形成する両端部１１１、１１１が締結手段としてのボルト３１、ワッシャ３２ａ、３２ｂ、ナット１１５によって締結されたものとなっている。
【００４４】
具体的には、スリーブ１１は軸方向の一端から他端まで同じ厚みを有する略四角筒状に形成されており、図１１（ａ）に示すように、その下部に軸方向に延在する開口面をもって開口された開口部１１０が設けられている。そして、スリーブ１１の開口部１１０を形成する両端部１１１には、下方に垂下するよう折り曲げられた垂下板１１２、１１３がそれぞれ設けられている。
【００４５】
両垂下板１１２、１１３のうち、図１０及び図１１（ａ）、（ｂ）に示す左側の垂下板１１２には、孔１１２ａが形成されている。また、右側の垂下板１１３は、左側の垂下板１１２より肉厚に形成されており、その上部には凸部１１４が形成され、凸部１１４にはパッキン１１６が装着されている。また、垂下板１１３において、凸部１１４より若干下がった位置には、孔１１３ａが形成されている。
【００４６】
そして、開口部１１０を形成する両端部１１１を図１１（ａ）の状態から図１１（ｂ）のように閉じたとき、一方の垂下板１１２が他方の垂下板１１３及びパッキン１１６と当接し、この状態でボルト３１等の締結手段により締め付けることにより、両垂下板１１２、１１３が互いに封止され、これによってスリーブ１１の内部に対する気密及び水密が得られるようになっている。
【００４７】
なお、この例では、スリーブ１１の長さが数十センチの長さであるため、締結手段が所定の三カ所に設けられているが、スリーブ１１の長さに応じて個数が変わるのは言うまでもない。
また、スリーブ１１の上部両側、つまり、両肩には図１１（ａ）、（ｂ）に示すように、スリーブ１１の肉厚を一部切り除いて形成された薄肉部１１７がそれぞれ設けられている。薄肉部１１７は、スリーブ１１の両肩に軸方向に沿って例えばＶ字状に切りかかれたもので、スリーブ１１を開閉するとき、ヒンジとして機能することにより、スリーブ１１を容易に開閉できるようにしたものである。
【００４８】
このような構成のクロージャ１０では、スリーブ１１を取り付ける際、予め支持線２８に吊り金具２５を吊り下げると共に、この吊り金具２５に端面板１２、トレイ積層体１４等の光接続ユニットを一体的に連結しておく。そして、端面板１２、トレイ積層体１４、連結棒１５、及び処理された光ファイバケーブル１３、ドロップケーブル１３Ａに対し、スリーブ１１の開口部１１０を図１１（ａ）に示す矢印ａ方向に拡げて開き、その内部の空間に端面板１２、トレイ積層体１４等を収納する。その後、開口部１１０を形成する両端部１１１の垂下板１１２、１１３を締結手段によって締結する。
【００４９】
すなわち、垂下板１１２、１１３をスリーブ１１の下方位置で矢印ａと反対方向に閉じて互いに当接させ、その当接させた状態で図１１（ｂ）に示すように、ワッシャ３２ａ付きのボルト３１を垂下板１１２の孔１１２ａ、垂下板１１３の孔１１３ａに挿通し、このボルト３１にワッシャ３２ｂを介在させてナット１１５を締め付けることにより開口部１１０を封止し、これによってスリーブ１１の組付けを完了する。
なお、ドロップケーブル１３Ａの光ファイバケーブル固定具２３への固定は、先に説明した方法と同様にして行う。
【００５０】
このようなクロージャ１０にあっては、図１（ａ）〜（ｃ）に示した光ファイバケーブル固定具５０と同一構成の光ファイバケーブル固定具２３を備えていることから、ドロップケーブル１３Ａをスリーブ１１内に容易に固定することができ、また、固定した際、凹部５３の内縁による光ファイバ６の損傷も防止することができる。
【００５１】
なお、本発明のクロージャは前記例に限定されることなく、光ファイバケーブルが導入される空間を有するスリーブと、このスリーブの軸方向の両端を閉塞する端面板とを備え、スリーブ内に、前述した本発明の光ファイバケーブル固定具を備えた構成を有していれば、いずれの構成のものでもよい。
【００５２】
【発明の効果】
以上説明したように本発明の光ファイバケーブル固定具は、光ファイバケーブルを挟んでこれを固定する凹部を有してなり、この凹部の幅が前記光ファイバケーブルの外径より小でかつ前記光ファイバケーブルの光ファイバの外径より大であるから、光ファイバケーブルを単にこの凹部内に挟み込んで納めることにより、該光ファイバケーブルを凹部内に容易に固定することができる。また、凹部の幅が光ファイバの外径より大であるので、凹部内に光ファイバケーブルを挟み込んだ際、凹部の内縁が光ファイバに直接触れにくく、したがって凹部の内縁によって光ファイバが損傷されるのを防止することができる。
【００５３】
また、本発明の他の光ファイバケーブル固定具は、凹部を有してなるものであるから、光ファイバケーブルを、その短辺方向の両側を挟み込んで凹部内に納めることにより、該光ファイバケーブルを凹部内に容易に固定することができる。また、テンションメンバが光ファイバより大径であるので、凹部内に光ファイバケーブルを挟み込んだ際、凹部の内縁がテンションメンバに当接することでそれより中心側へは行かず、したがって凹部の内縁によって光ファイバが損傷されるのを防止することができる。
また、従来のごとく固定の際にテンションメンバを露出させる必要がないので、このテンションメンバが金属製でなく樹脂製であっても何等支障なく固定を行うことができる。
また、金属製である場合にも、これを露出させないため、このテンションメンバが通電されるものに接触するおそれがなく、したがって光ファイバによる通信の信頼性を確保することができる。
【００５４】
また、前記凹部を、固定する光ファイバケーブルの長さ方向に対をなして設け、これら対をなす凹部を、それぞれの中心位置が前記の長さ方向においてずれるように配設すれば、一本の光ファイバケーブルを、対をなす凹部のそれぞれに納めて固定することにより、光ファイバケーブルは対の凹部を共にすり抜けるのが難しくなることから、光ファイバケーブルの長さ方向に対する引っ張り力に対し、これに抗する力を大にすることができる。
【００５５】
本発明のクロージャは、前記の光ファイバケーブル固定具が設けられたものであるから、光ファイバケーブルをスリーブ内に容易に固定することができ、また、固定した際、凹部の内縁による光ファイバの損傷も防止することができる。
【図面の簡単な説明】
【図１】  本発明の光ファイバケーブル固定具の概略構成を示す図であり、（ａ）は平面図、（ｂ）は正面図、（ｃ）は側面図である。
【図２】  凹部を説明するための要部拡大図である。
【図３】  図１（ａ）の拡大図である。
【図４】  対をなす凹部の位置関係を説明するための拡大平面図である。
【図５】  図１に示した光ファイバケーブル固定具の、ドロップケーブルを固定した状態を説明するための側面図である。
【図６】  図１に示した光ファイバケーブル固定具の、ドロップケーブルを固定した状態を説明するための平面図である。
【図７】  ドロップケーブルの端部処理とこのドロップケーブルの凹部への固定とを説明するための斜視図である。
【図８】  本発明のクロージャの一例を示す図であり、要部を破断した平面図である。
【図９】  図８に示したクロージャの、要部を破断した正面図である。
【図１０】  図９に示したクロージャの左側面図である。
【図１１】  クロージャのスリーブを示す図であって、(ａ)はスリーブを開いている状態を示す説明図、(ｂ)はスリーブを締結して封止した状態を示す説明図である。
【図１２】  従来の通信ケーブルを説明するための図である。
【図１３】  ドロップケーブルのを説明するための斜視図である。
【符号の説明】
４…ドロップケーブル、６…光ファイバ、７…テンションメンバ、
１０…クロージャ、１１…スリーブ、１２…端面板、
１３…光ファイバケーブル、１３Ａ…ドロップケーブル、
２３…光ファイバケーブル固定具、５０…光ファイバケーブル固定具、
５３…凹部
【図１】
0004004807.tif 000002
【図２】
0004004807.tif 000003
【図３】
0004004807.tif 000004
【図４】
0004004807.tif 000005
【図５】
0004004807.tif 000006
【図６】
0004004807.tif 000007
【図７】
0004004807.tif 000008
【図８】
0004004807.tif 000009
【図９】
0004004807.tif 000010
【図１０】
0004004807.tif 000011
【図１１】
0004004807.tif 000012
【図１２】
0004004807.tif 000013
【図１３】
0004004807.tif 000014